(57)【特許請求の範囲】
【請求項１】
側壁と底板で略断面コ字状に形成された継手本体（１）と、該継手本体（１）の長手方向に対して摺動自在に接続されると共に側壁と底板で略断面コ字状に形成された摺動体（２）と、前記継手本体（１）と前記摺動体（２）の間に埋設されその両端を前記継手本体（１）と前記摺動体（２）のそれぞれに水密性を持たせつつ接合された蛇腹状の蛇腹状パツキン（３）で主要部が構成され、軒樋を直線的又は曲折的に接続させる軒樋継手において、上記摺動体（２）のうち上記継手本体（１）と前記蛇腹状パツキン（３）の接合部位を覆う部位に切欠部（４）を設け、該切欠部（４）に蓋体（５）を設けたことを特徴とする軒樋継手。
【発明の詳細な説明】
【０００１】
【産業上の利用分野】
本発明は、環境温度によって伸縮する軒樋への対応及び該軒樋同士を接続する軒樋継手に係り、特に軒樋継手自体を伸縮させるために設けられた蛇腹状パツキンの取付作業の精度を高めた軒樋継手に関する。
【０００２】
【従来の技術】
従来、軒樋継手に、環境温度によって伸縮する軒樋に対応するため、摺動自在な摺動体が接続されている。本出願人は、かかる摺動を円滑に行わせるために、蛇腹状パツキンを採用する手段を開示している（実願平５−６４９９７号参照）。かかる手段は、蛇腹状パツキンが露出していないため伸縮効果の経時的変化が少ないと共に水密性が高いという高い効果を有するものである。
【０００３】
【発明が解決しようとする課題】
しかし、かかる軒樋継手において、上記蛇腹状パツキンが軒樋継手本体と摺動体のそれぞれと接合されるため、いずれか一方に接合された後に他方が接合されなければならないが、該軒樋継手本体と摺動体の間は密閉されてしまうため、他方の接合の際にはある程度経験がなければ所定の位置に接合できないという課題があった。また、正確な位置に接合できたかどうかを黙視で確認できないという課題があった。
【０００４】
したがって、本発明の目的は、蛇腹状パツキンの取付作業の精度が高く組立作業時間の短い軒樋継手を提供することにある。
【０００５】
【課題を解決するための手段】
本発明者は、上記に鑑み鋭意研究を行った結果、側壁と底板で略断面コ字状に形成された継手本体と、該継手本体の長手方向に対して摺動自在に接続されると共に側壁と底板で略断面コ字状に形成された摺動体と、前記継手本体と前記摺動体の間に埋設されその両端を前記継手本体と前記摺動体のそれぞれに水密性を持たせつつ接合された蛇腹状の蛇腹状パツキンで主要部が構成され、軒樋を直線的又は曲折的に接続させる軒樋継手において、上記摺動体のうち上記継手本体と前記蛇腹状パツキンの接合部位を覆う部位に切欠部を設け、該切欠部に蓋体を設けることにより、上記課題を解決できることを見出し、本発明を完成させた。
【０００６】
ここで、本発明にかかる上記切欠部は、この切欠部から上記軒樋継手本体と上記蛇腹状パツキンの接合作業を行い得る広さを有すれば適宜その形状を選択できるものである。
【０００７】
上記蓋体は、上記切欠部を塞ぐものであるため、この切欠部の形状に合わせて適宜選択できるものである、また、蓋体と摺動体には、互いに係合するための係合部材をそれぞれ設けることができると共に接着剤により接着されてもよいのは勿論である。なお、該切欠部と蓋体の配設位置を軒樋継手本体にすることにより、上記蛇腹状パツキンと上記摺動体の接合作業を該蛇腹状パツキンと該軒樋継手本体の接合の後に行うことも可能であるが、該蓋体を軒樋継手の外側に取り付ければならず外観上好ましくない。
【０００８】
該軒樋継手の素材としては、軒樋同士を安定的に接続させることができるものであれば適宜選択でき特に限定するものでないが、例えばステンレス、鉄、鋼、銅、アルミニウム、亜鉛、ニッケルなどの単体又は合金といった金属、熱可塑性樹脂（例えばポリ塩化ビニル、ポリエチレン、ポリエステル、ポリスチレン、ＡＢＳ（アクリロニトリル・ブタジエン・スチレン）、ポリカーボネート）や熱硬化性樹脂の単体又は複合体といった合成樹脂や、合成樹脂に補強繊維（例えばガラス繊維、アラミド繊維、金属繊維など）を含有させた合成樹脂がある。なお、金属に合成樹脂やゴムを被覆又は積層するような複合体であっても良いのは勿論である。
【０００９】
また、本発明は、必要に応じ、上記摺動体を軒樋継手本体に複数個設けることにより軒樋を多方向に接続できるものでもある。したがって、本発明に係る軒樋継手は、摺動体を一つにすることにより軒樋を直線的に接続できるものであり、摺動体を二つにして軒樋継手本体を任意の角度に曲折させれば軒樋を曲折的に接続できるものである。なお、本発明で使用される軒樋継手の形状は、接続される軒樋の大きさや形状に対して適宜選択して作成されるものである。
【００１０】
【作用】
本発明の軒樋継手は、上記摺動体のうち上記継手本体と前記蛇腹状パツキンの接合部位を覆う部位に切欠部を設け、該切欠部に蓋体を設け、これにより蛇腹状パツキンの取付作業の精度を高くすることができる。
【００１１】
【実施例】
本発明にかかる一実施例を図１及び図２に開示する。図１は本発明の一実施例にかかる軒樋継手を模式的に示した斜視図であり、図２は図１のＸ−Ｘ断面図である。なお、本実施例にあっては軒樋を直線的に接続するものである。
【００１２】
この実施例における軒樋継手は、側壁と底板で略断面コ字状に形成された継手本体１と、該継手本体１の長手方向に対して摺動自在に接続されると共に側壁と底板で略断面コ字状に形成された摺動体２と、前記継手本体１と前記摺動体２の間に埋設されその両端を前記継手本体１と前記摺動体２のそれぞれに水密性を持たせつつ接合された蛇腹状の蛇腹状パツキン３で主要部が構成されている。
【００１３】
また、この軒樋継手の上記摺動体２のうち上記継手本体１と前記蛇腹状パツキン３の接合部位を覆う部位に切欠部４が設られ、該切欠部４には蓋体５が設けられている。なお、図面上、蓋体５と摺動体２との係合部材の図示は省略した。また、図２中、符号６及び７は被接続体としての軒樋（図示省略）を嵌合するための凹部である。
【００１４】
本実施例における組立作業を説明する。蛇腹状パツキン３を摺動体２に接着剤（図示省略）で接合し、摺動体２と軒樋継手本体１を接続した後、前記蛇腹状パツキン３を該軒樋継手本体１に接着剤（図示省略）により接続し、最後に蓋体５を該摺動体２に係合させる。
【００１５】
本実施例にあっては、上記摺動体のうち上記継手本体と前記蛇腹状パツキンの接合部位を覆う部位に切欠部を設け、該切欠部に蓋体を設け、これにより蛇腹状パツキンの取付作業の精度が高いという効果を有すると共に組立作業時間を短縮できるという効果を有する。
【００１６】
【発明の効果】
本発明は、側壁と底板で略断面コ字状に形成された継手本体と、該継手本体の長手方向に対して摺動自在に接続されると共に側壁と底板で略断面コ字状に形成された摺動体と、前記継手本体と前記摺動体の間に埋設されその両端を前記継手本体と前記摺動体のそれぞれに水密性を持たせつつ接合された蛇腹状の蛇腹状パツキンで主要部が構成され、軒樋を直線的又は曲折的に接続させる軒樋継手において、上記摺動体のうち上記継手本体と前記蛇腹状パツキンの接合部位を覆う部位に切欠部を設け、該切欠部に蓋体を設け、これにより蛇腹状パツキンの取付作業の精度が高いという効果を有すると共に組立作業時間を短縮できるという効果を有する。
【図面の簡単な説明】
【図１】本発明の一実施例にかかる軒樋継手を模式的に示した斜視図である。
【図２】図１のＸ−Ｘ断面図である。
【符号の説明】
１  継手本体
２  摺動体
３  蛇腹状パツキン
４  切欠部
５  蓋体
【図１】
0003589431.tif 000002
【図２】
0003589431.tif 000003